(57)【特許請求の範囲】
【請求項１】
おねじ付き継手部材にめねじ付き継手部材が締め付けられることによっておねじ付き継手部材と管部材とがシール部を介して対向させられた状態で接続される管継手が締付け後に誤って緩められることを防止するロック装置であって、
おねじ付き継手部材に相対回転不可能に取り付けられる取付け部、取付け部に連なって設けられてめねじ付き継手部材の外周面に片側から当てられるカバー部、およびカバー部に連なって設けられて管部材のめねじ付き部材から突出した部分に片側から当てられる連結部からなる第１構成部材と、
めねじ付き継手部材の外周面に他方の片側から当てられるカバー部、およびカバー部に連なって設けられて管部材のめねじ付き継手部材から突出した部分に他方の片側から当てられる連結部からなる第２構成部材とからなり、第１構成部材の連結部と第２構成部材の連結部とが管部材のめねじ付き継手部材から突出した部分に固定されるように連結されていることを特徴とする管継手ロック装置。
【請求項２】
第１構成部材の取付け部は、おねじ付き継手部材の外周に設けられた係合部に係合する略Ｕ字状に形成されている請求項１の管継手ロック装置。
【請求項３】
第１構成部材の連結部は、管部材に片側から当てられる半円筒部、半円筒部の一側に連なり連結用ボルトがねじ合わされるねじ孔が形成されたねじ孔部、および半円筒部の他側に連なり係合爪係合用貫通孔が形成された貫通孔部からなり、
第２構成部材の連結部は、管部材に他方の片側から当てられる半円筒部、半円筒部の一側に連なり連結用ボルトが挿通されるボルト挿通孔が形成されたボルト挿通部、および半円筒部の他側に連なり第１構成部材の連結部の係合爪係合用貫通孔に先端部が係脱可能かつ回動可能に嵌め入れられる係合爪からなる請求項１または２の管継手ロック装置。
【発明の詳細な説明】
【技術分野】
【０００１】
この発明は、管継手が締付け後に誤って緩められることを防止する管継手ロック装置に関する。
【背景技術】
【０００２】
管継手は、おねじ付き継手部材にめねじ付き継手部材（袋ナット）が締め付けられることによっておねじ付き継手部材と管部材とがシール部を介して対向させられた状態で接続されるもので、この管継手が締付け後に誤って緩められることを防止するロック装置（ロッククランプ）として、特許文献１には、おねじ付き継手部材に設けられた係合部（レンチフラット）に相対回転不可能に取り付けられる取付け部、および取付け部に連なって設けられてめねじ付き継手部材の外周面に片側から当てられる連結部からなる第１クランプ部材と、めねじ付き継手部材の外周面に他方の片側から当てられる連結部を有する第２クランプ部材とからなり、第１クランプ部材の連結部と第２クランプ部材の連結部とがめねじ付き継手部材を介して連結されているものが開示されている。
【特許文献１】特開平８−１０５５８０号公報
【発明の開示】
【発明が解決しようとする課題】
【０００３】
上記特許文献１の管継手ロック装置によると、おねじ付き継手部材の係合部に対する袋ナットの回転は防止されるものの、おねじ付き継手部材に対する管部材の回転またはねじれについては全く考慮されていないため、管部材にこれを回転させる力が作用した場合、おねじ付き継手部材との間にシール部を介在させた状態で管部材が回転またはねじれることになり、この結果、シール性が損なわれるという問題があった。
【０００４】
この発明の目的は、管継手が締付け後に誤って緩められることを防止することができるとともに、管部材にこれを回転させる力が作用した場合でも、管継手のシール部におけるシール性が損なわれることがない管継手ロック装置を提供することにある。
【課題を解決するための手段】
【０００５】
この発明による管継手ロック装置は、おねじ付き継手部材にめねじ付き継手部材が締め付けられることによっておねじ付き継手部材と管部材とがシール部を介して対向させられた状態で接続される管継手が締付け後に誤って緩められることを防止するロック装置であって、おねじ付き継手部材に相対回転不可能に取り付けられる取付け部、取付け部に連なって設けられてめねじ付き継手部材の外周面に片側から当てられるカバー部、およびカバー部に連なって設けられて管部材のめねじ付き部材から突出した部分に片側から当てられる連結部からなる第１構成部材と、めねじ付き継手部材の外周面に他方の片側から当てられるカバー部、およびカバー部に連なって設けられて管部材のめねじ付き継手部材から突出した部分に他方の片側から当てられる連結部からなる第２構成部材とからなり、第１構成部材の連結部と第２構成部材の連結部とが管部材のめねじ付き継手部材から突出した部分に固定されるように連結されていることを特徴とするものである。
【０００６】
管継手は、例えば、おねじ付き継手部材としてのボディと、これにシール部（ガスケットなど）を介して突き合わされる管部材としてのフランジ付きスリーブと、スリーブ外周に嵌められてボディにねじ合わされるめねじ付き継手部材としての袋ナットとからなるものとされる。管継手は、これ以外に、種々の構成のものが知られており、この発明による管継手ロック装置は、取付け部（本発明において、「取り付ける」には、「嵌め合わせる」、「固定する」が含まれるものとする。）の構成などを対象とする管継手に対応させることにより、種々の管継手のいずれにも適用させることができる。
【０００７】
例えば、おねじ付き継手部材は、管部材との突き合わせ端と反対側の端部に、管が溶接などにより固定されていることがあり、管部材との突き合わせ端と反対側の端部に、バルブなどの流体制御機器の通路付き本体が固定されていることがある。前者の場合、おねじ付き継手部材には、通常、その外周にスパナまたはレンチが係合させられる係合部が形成されており、第１構成部材の取付け部は、この係合部に係合するように略Ｕ字状に形成されていることが好ましい。後者の場合、取付け部は、例えば、バルブ本体の底面に当てられてねじによりバルブ本体に固定される板状体とすればよいが、これに限定されるものではない。いずれにしろ、ロック装置が取り付けられた状態では、おねじ付き継手部材に対するめねじ付き継手部材の回転が防止されるとともに、外力が管部材に作用した場合のおねじ付き継手部材に対する管部材の回転が防止される。
【０００８】
第１構成部材の連結部は、管部材に片側から当てられる半円筒部、半円筒部の一側に連なり連結用ボルトがねじ合わされるねじ孔が形成されたねじ孔部、および半円筒部の他側に連なり係合爪係合用貫通孔が形成された貫通孔部からなり、第２構成部材の連結部は、管部材に他方の片側から当てられる半円筒部、半円筒部の一側に連なり連結用ボルトが挿通されるボルト挿通孔が形成されたボルト挿通部、および半円筒部の他側に連なり第１構成部材の連結部の係合爪係合用貫通孔に先端部が係脱可能かつ回動可能に嵌め入れられる係合爪からなるものとされることがある。
【０００９】
また、第１構成部材の連結部は、管部材に片側から当てられる半円筒部、および半円筒部の両側それぞれに連なり連結用ボルトがねじ合わされるねじ孔が形成されたねじ孔部からなり、第２構成部材の連結部は、管部材に他方の片側から当てられる半円筒部、および半円筒部の両側にそれぞれ連なり連結用ボルトが挿通されるボルト挿通孔が形成されたボルト挿通部からなるものとされてもよい。
【発明の効果】
【００１０】
この発明の管継手ロック装置によると、おねじ付き継手部材に相対回転不可能に取り付けられる取付け部、および取付け部に連なって設けられてめねじ付き継手部材の外周面に片側から当てられるカバー部を有する第１構成部材と、めねじ付き継手部材の外周面に他方の片側から当てられるカバー部を有する第２構成部材とが、各構成部材の連結部を介して連結されるので、おねじ付き継手部材に対してめねじ付き継手部材を回転させることが不可能となり、管継手が締付け後に誤って緩められることが防止される。しかも、第１構成部材がおねじ付き継手部材に対して相対回転不可能であり、第１構成部材の連結部と第２構成部材の連結部とが管部材のめねじ付き部材から突出した部分に固定されるように連結されているので、おねじ付き継手部材に対する管部材の回転が防止されており、管部材にこれを回転させる力が作用しても、この力がおねじ付き継手部材と管部材との間に介在させられたシール部にまで影響することがなく、配管施工後にねじれによるシールの不具合が無くなり、管継手は、そのシール性を保持し続けることができる。
【発明を実施するための最良の形態】
【００１１】
この発明の実施の形態を、以下図面を参照して説明する。
【００１２】
図９は、この発明の管継手ロック装置が対象とする管継手の１例を示している。同図において、管継手(1)は、第１管状継手部材（おねじ付き継手部材）(2)および第２管状継手部材（管部材）(3)と、第１管状継手部材(2)の左端面と第２管状継手部材(3)の右端面との間に介在させられる円環状ガスケット（シール部）(4)と、第２管状継手部材(3)側から第１管状継手部材(2)にねじはめられた袋ナット（めねじ付き継手部材）(5)と、ガスケット(4)を保持しかつ第１継手部材(2)に保持されたリテーナ(6)と、袋ナット(5)の頂壁と第２管状継手部材(3)のフランジ部との間に介在されたスラストリング(7)とよりなる。各継手部材(2)(3)の突き合わせ端面には、ガスケット押さえ用環状突起(2a)(3a)がそれぞれ形成されている。
【００１３】
第１管状継手部材(2)には、短六角柱状の係合部(8)が設けられており、係合部(8)をレンチ等で保持して袋ナット(5)を回転させて第１管状継手部材(2)に対して締め付けていくことにより、第１管状継手部材(2)と第２管状継手部材(3)とが流体密に結合される。
【００１４】
なお、管継手(1)には、種々の形態が存在しているが、おねじ付き継手部材(2)にめねじ付き継手部材（通常は、袋ナット）(5)が締め付けられることによっておねじ付き継手部材(2)と管部材(3)とがシール部(4)を介して対向させられた状態で接続される点で共通している。
【００１５】
図１から図８までは、この発明の管継手ロック装置の１実施形態を示している。
【００１６】
この発明の管継手ロック装置(10)は、管継手(1)が締付け後に誤って緩められることを防止するロック装置であって、おねじ付き継手部材(2)に相対回転不可能に嵌められる第１構成部材(11)と、第１構成部材(11)に着脱可能に取り付けられ、連結用ボルト(13)で締め付けられる前には、第１構成部材(11)に対して回動可能であり、連結用ボルト(13)で締め付けられることによって、第１構成部材(11)に固定される第２構成部材(12)とからなる。
【００１７】
図１は、管継手ロック装置(10)が管継手(1)に取り付けられた状態を斜視図で示し、図２は、連結用ボルト(13)で締め付けられる前であって第１構成部材(11)に対して第２構成部材(12)が回動可能な状態を斜視図で示している。図３は、第１構成部材(11)を斜視図で示し、図４は、第２構成部材(12)を斜視図で示している。図５から図８までは、管継手ロック装置(10)が管継手(1)に取り付けられた状態における図であって、図５は、正面図（図１の左手前側から見た図）、図６は、平面図（図１の上側から見た図）、図７は、右側面図（図１の右手前側から見た図）、図８は、左側面図（図１の左奥側から見た図）である。
【００１８】
第１構成部材(11)は、おねじ付き継手部材(2)に相対回転不可能に取り付けられる取付け部(21)、取付け部(21)に連なって設けられてめねじ付き継手部材としての袋ナット(5)の外周面に片側（図の下側）から当てられるカバー部(22)、およびカバー部(22)に連なって設けられて管部材(3)の袋ナット(5)から突出した部分(3a)に片側から（図の下側）当てられる連結部(23)からなる。
【００１９】
第２構成部材(12)は、袋ナット(5)の外周面に他方の片側（図の上側）から当てられるカバー部(31)、およびカバー部(31)に連なって設けられて管部材(3)の袋ナット(5)から突出した部分(3a)に他方の片側（図の上側）から当てられる連結部(32)からなる。
【００２０】
第１構成部材(11)の取付け部(21)は、おねじ付き継手部材(2)の外周に設けられた係合部(8)に係合する略Ｕ字状に形成されている。取付け部(21)の対向壁(21a)(21a)間の間隔は、袋ナット(5)の対向二面幅と同じとされており、取付け部(21)の対向壁(21a)(21a)の高さは、袋ナット(5)の径とほぼ同じとされている。対向壁(21a)(21a)の頂部には、袋ナット(5)の外周部に軸方向から対向する折り曲げ縁部(21b)が設けられている。
【００２１】
第１構成部材(11)のカバー部(22)は、細長い板状とされている。これに対し、第２構成部材(12)のカバー部(31)は、第１構成部材(11)の板状カバー部(22)に重ねられて袋ナット(5)を覆うことが可能な逆Ｕ字状とされている。
【００２２】
第１構成部材(11)の連結部(23)は、管部材(3)に片側から当てられる半円筒部(24)、半円筒部(24)の一側に連なり連結用ボルト(13)がねじ合わされるねじ孔(25a)が形成されたねじ孔部(25)、および半円筒部(24)の他側に連なり係合爪係合用貫通孔(26a)が形成された貫通孔部(26)からなる。
【００２３】
第２構成部材(12)の連結部(32)は、管部材(3)に当てられる半円筒部(33)、半円筒部(33)の一側に連なり連結用ボルト(13)が挿通されるボルト挿通孔(34a)が形成されたボルト挿通部(34)、および半円筒部(33)の他側に連なり第１構成部材(11)の連結部(23)の貫通孔(26a)に先端部が係脱可能かつ回動可能に嵌め入れられるフック状の係合爪(35)からなる。
【００２４】
この管継手ロック装置(10)を管継手(1)に取り付けるには、まず、第１構成部材(11)の取付け部(21)をおねじ付き継手部材(2)の係合部(8)に嵌め合わせ、次いで、第２構成部材(12)の連結部(32)の係合爪(35)を第１構成部材(11)の連結部(23)の貫通孔(26a)に嵌め入れ（図２に示した状態）、次いで、係合爪(35)を貫通孔(26a)に係合した状態で第２構成部材(12)を第１構成部材(11)に対して回動させてその連結部(23)(32)同士を管部材(3)を介して重ね合わせ、（図１で連結用ボルト(13)がない状態）、連結用ボルト(13)によって連結部(23)(32)同士を締め付けることにより、これらの連結部(23)(32)が管部材(3)の袋ナット(5)から突出した部分に固定されるように連結されている。
【図面の簡単な説明】
【００２５】
【図１】この発明による管継手ロック装置が管継手に取り付けられた状態を示す斜視図である。
【図２】この発明による管継手ロック装置が管継手に取り付けられる途中の状態を示す斜視図である。
【図３】管継手ロック装置を構成する第１構成部材を示す斜視図である。
【図４】管継手ロック装置を構成する第２構成部材を示す斜視図である。
【図５】この発明による管継手ロック装置が管継手に取り付けられた状態を示す正面図である。
【図６】同平面図である。
【図７】同右側面図である。
【図８】同左側面図である。
【図９】この発明による管継手のロック装置が対象とする管継手の一例を示す縦断面図である。
【符号の説明】
【００２６】
(1)       管継手
(2)       第１管状継手部材（おねじ付き継手部材）
(2a)      係合部
(3)       第２管状継手部材（管部材）
(3a)      めねじ付き部材から突出した部分
(4)       ガスケット（シール部）
(5)       袋ナット（めねじ付き継手部材）
(10)      管継手ロック装置
(11)      第１構成部材
(12)      第２構成部材
(13)      連結用ボルト
(21)      取付け部
(22)      カバー部
(23)      連結部
(24)      半円筒部
(25a)     ねじ孔
(25)      ねじ孔部
(26)      貫通孔部
(26a)     係合爪係合用貫通孔
(31)      カバー部
(32)      連結部
(33)      半円筒部
(34)      ボルト挿通部
(34a)     ボルト挿通孔
(35)      係合爪
【図１】
0004830473.tif 000002
【図２】
0004830473.tif 000003
【図３】
0004830473.tif 000004
【図４】
0004830473.tif 000005
【図５】
0004830473.tif 000006
【図６】
0004830473.tif 000007
【図７】
0004830473.tif 000008
【図８】
0004830473.tif 000009
【図９】
0004830473.tif 000010